(57)【要約】【課題】電柱を道路の側溝部分に建立したい場合において、電柱が側溝を貫通することを回避できるとともに、側溝を迂回させる必要性も回避すること。また、道路管理者毎に異なっている側溝の仕様にも対応可能とすること。【解決手段】側溝付き電柱１は、電線・ケーブル類を支持するために地上に架設される電柱状部１１と、地中に埋設された側溝４０と、地中に埋設され、電柱状部１１を支持する電柱支持部材と、を備え、電柱支持部材は、縦断面形状が上方に解放する凹部と側溝４０との間に隙間をおいて収納可能な上半部３２とを有する電柱支持基礎部材３０と、上半部３２と側溝４０との間に配置され、側溝４０を堅固に固持するコンクリート部材５０Ａ、５０Ｂと、電柱状部１１の下端に堅固に形成された蓋部材１２と、を備え、蓋部材１２は、側溝４０をまたぐように上半部３２の両上端に設置される。【選択図】図１
2009002097.tif 000002
【特許請求の範囲】
【請求項１】
電線・ケーブル類を支持するために地上に架設される電柱状部と、
地中に埋設された側溝と、
前記地中に埋設され、前記電柱状部を支持する電柱支持部材と、を備え、
前記電柱支持部材は、
縦断面形状が上方に解放する凹部を有する上半部であって前記側溝の長手方向における前記側溝の少なくとも一部を前記凹部の内側に、前記凹部と前記側溝の少なくとも一部との間に隙間をおいて収納可能な上半部と前記上半部の下方に柱状に形成された下半部とを有する電柱支持基礎部材と、
前記凹部の内周面と前記側溝の少なくとも一部の外周面との間に配置され、前記側溝の少なくとも一部を堅固に固持するコンクリート部材と、
前記電柱状部の下端に堅固に形成された蓋部材と、を備え、
前記蓋部材は、前記側溝をまたぐように前記上半部の両上端に設置されることを特徴とする、側溝付き電柱。
【請求項２】
電線・ケーブル類を支持するために地上に架設される電柱状部と、
地中に埋設された側溝と、
前記地中に埋設され、前記電柱状部を支持する電柱支持部材と、を備え、
前記電柱支持部材は、
縦断面形状が上方に解放する凹部を有する上半部であって前記側溝の長手方向における前記側溝の少なくとも一部を前記凹部の内側に、前記凹部と前記側溝の少なくとも一部との間に隙間をおいて収納可能な上半部と前記上半部の下方に柱状に形成された下半部とを有する電柱支持基礎部材と、
一端が前記凹部の内周面と前記側溝の少なくとも一部の外周面との間の一部に配置され、他端が前記電柱支持基礎部材の上方に露出するように配置されたアンカー部材と、
前記凹部の内周面と前記側溝の少なくとも一部の外周面との間に配置され、前記アンカー部材の一部を堅固に固持するコンクリート部材と、
前記電柱状部の下端に堅固に形成され、前記アンカー部材に取り付けられた蓋部材と、を備え、
前記蓋部材は、前記側溝をまたぐように前記上半部の両上端に設置されることを特徴とする、側溝付き電柱。
【発明の詳細な説明】
【技術分野】
【０００１】
本発明は、側溝付き電柱に関する。
【背景技術】
【０００２】
従来、道路の側溝部分にやむを得ず電柱を建立する場合、電柱が側溝を貫通すると流水効率が下がり、流水量によっては側溝から水があふれ出てくるおそれがあるため、側溝を迂回させるための工事を行っていた。
【０００３】
しかし、道路の側溝を迂回させれば、流水効率を変えずに電柱を建立できるものの、迂回側溝の建設工事にはコストがかかった。したがって、コストを削減するとともに流水効率を変えずに電柱を建立することが求められていた。
【０００４】
そこで、道路の側溝と一体となった支柱に電柱を取り付けることで、側溝の上に電柱を設置し、側溝の迂回を回避させた発明が知られている（例えば、特許文献１及び２）。
【特許文献１】特開平１−１８７２３０号公報
【特許文献２】特開平７−１５０８１２号公報
【発明の開示】
【発明が解決しようとする課題】
【０００５】
しかしながら、上記特許文献の発明では、電柱の支柱が側溝に直接取り付けられる仕様となっているため、側溝の形状によっては支柱を直接取り付けられない場合があった。このため、支柱を直接取り付けることができる側溝の形状に制約があった。
【０００６】
一方、道路管理者が使用する側溝の仕様は様々であるため、上記特許文献の発明では、道路管理者毎に異なっている様々な側溝の仕様に対応できないという問題があった。
【０００７】
本発明は、電柱を道路の側溝部分に建立したい場合において、電柱が側溝を貫通することを回避できるとともに、側溝を迂回させる必要性も回避でき、さらに迂回側溝の建設コストを削減することを目的とする。また、道路管理者毎に異なっている側溝の仕様にも対応することを目的とする。
【課題を解決するための手段】
【０００８】
本発明者は、側溝の上に電柱を設置可能であることを見出し、本発明を完成するに至った。
【０００９】
（１）  本発明の側溝付き電柱は、電線・ケーブル類を支持するために地上に架設される電柱状部と、地中に埋設された側溝と、前記地中に埋設され、前記電柱状部を支持する電柱支持部材と、を備え、前記電柱支持部材は、縦断面形状が上方に解放する凹部を有する上半部であって前記側溝の長手方向における前記側溝の少なくとも一部を前記凹部の内側に、前記凹部と前記側溝の少なくとも一部との間に隙間をおいて収納可能な上半部と前記上半部の下方に柱状に形成された下半部とを有する電柱支持基礎部材と、前記凹部の内周面と前記側溝の少なくとも一部の外周面との間に配置され、前記側溝の少なくとも一部を堅固に固持するコンクリート部材と、前記電柱状部の下端に堅固に形成された蓋部材と、を備え、前記蓋部材は、前記側溝をまたぐように前記上半部の両上端に設置されることを特徴とする。
【００１０】
（１）に記載の側溝付き電柱によれば、蓋部材は、側溝をまたぐように設置されるので、蓋部材を側溝に直接取り付けることを回避でき、側溝の形状の制約を軽減できる。さらに、電柱支持基礎部材は、側溝を、上半部と側溝との間に隙間をおいて収納可能なので、様々な形状の側溝を配置することができる。したがって、道路管理者毎に異なっている側溝の仕様にも対応することが可能となる。
【００１１】
さらに、（１）に記載の側溝付き電柱の電柱支持部材は、内部に側溝の長手方向における一部をコンクリート部材を介して堅固に固持し、電柱状部を支持するので、電柱状部が側溝を貫通することを回避できるとともに、側溝を迂回させる必要性も回避できる。
【００１２】
（２）  本発明の側溝付き電柱は、電線・ケーブル類を支持するために地上に架設される電柱状部と、地中に埋設された側溝と、前記地中に埋設され、前記電柱状部を支持する電柱支持部材と、を備え、前記電柱支持部材は、縦断面形状が上方に解放する凹部を有する上半部であって前記側溝の長手方向における前記側溝の少なくとも一部を前記凹部の内側に、前記凹部と前記側溝の少なくとも一部との間に隙間をおいて収納可能な上半部と前記上半部の下方に柱状に形成された下半部とを有する電柱支持基礎部材と、一端が前記凹部の内周面と前記側溝の少なくとも一部の外周面との間の一部に配置され、他端が前記電柱支持基礎部材の上方に露出するように配置されたアンカー部材と、前記凹部の内周面と前記側溝の少なくとも一部の外周面との間に配置され、前記アンカー部材の一部を堅固に固持するコンクリート部材と、前記電柱状部の下端に堅固に形成され、前記アンカー部材に取り付けられた蓋部材と、を備え、前記蓋部材は、前記側溝をまたぐように前記上半部の両上端に設置されることを特徴とする。
【００１３】
（２）に記載の側溝付き電柱によれば、アンカー部材の一部は、コンクリート部材により堅固に固持されているので、蓋部材がアンカー部材に取り付けられることによって、電柱支持部材は、電柱状部を堅固に支持することができる。
【発明の効果】
【００１４】
本発明によれば、電柱を道路の側溝部分に建立したい場合において、電柱状部が側溝を貫通することを回避できるとともに、側溝を迂回させる必要性も回避できるので、迂回側溝の建設コストを削減することができる。また、様々な形状の側溝を配置することができるので、道路管理者毎に異なっている側溝の仕様にも対応することが可能となる。
【発明を実施するための最良の形態】
【００１５】
以下、本発明の実施形態による側溝付き電柱１について説明する。
【００１６】
図１は、側溝付き電柱１の縦断面図を示す図である。図１において、電柱状部１１は、地中に埋設された側溝４０の上に設置されている。電柱状部１１をこのように設置するための側溝付き電柱１の構成について以下説明する。側溝付き電柱１は、地上に架設された電柱状部１１と、地中に埋設された側溝４０と、地中に埋設された電柱支持部材と、から構成されている。
【００１７】
この電柱支持部材は、電柱支持基礎部材３０と、コンクリート部材５０Ａ（５０Ｂ）と、アンカーボルト６０Ａ（６０Ｂ）と、蓋部材１２とから構成されている。この電柱支持部材の構成のうち、電柱支持基礎部材３０は、縦断面が上方に開放されている凹部を有する上半部３２と、上半部３２の下方に柱状に形成された下半部３１とを備えている。コンクリート部材５０Ａ（５０Ｂ）は、当該凹部の内周面３３と側溝４０の外周面４１との間に配置されている。
【００１８】
アンカーボルト６０Ａ（６０Ｂ）は、一端がコンクリート部材５０Ａ（５０Ｂ）に埋設されることで堅固に固定されており、他端が電柱支持基礎部材３０の上方に露出するように配置されている。蓋部材１２は、側溝４０をまたぐように上半部３２の両上端３４Ａ及び３４Ｂに設置されており、また、アンカーボルト６０Ａ（６０Ｂ）によって貫通され、ナット７０Ａ（７０Ｂ）によって固定されている。
【００１９】
さらに、蓋部材１２は、電柱状部１１の下端に堅固に形成されているため、電柱状部１１を側溝４０の上に設置することが可能となる。したがって、電柱状部１１が側溝４０を貫通することを回避することができるので、側溝４０の内部の流水を妨げないようにすることができる。
【００２０】
また、側溝４０を迂回させる必要性も回避できるので、迂回側溝を建設するコストを削減できる。さらに、電柱支持基礎部材３０の下半部３１は地中に深く埋設されるので、電柱状部１１の耐震性を担保することができる。
【００２１】
また、蓋部材１２は、側溝４０をまたぐように設置でき、蓋部材１２を側溝４０に直接取り付けることを回避できるので、上半部３２の内部に様々な形状の側溝を配置することができる。さらに、電柱支持基礎部材３０は、側溝４０を、上半部３２と側溝４０との間に隙間をおいて収納可能であり、このことからも、様々な形状の側溝を配置することができる。したがって、道路管理者毎に異なっている側溝の仕様にも対応することが可能となる。
【００２２】
図２は、蓋部材１２を取り付ける前における電柱支持部材の横断面図を示す図である。図２において、コンクリート部材５０Ａ（５０Ｂ）は、電柱支持基礎部材３０の上半部３２の凹部の両上端３４Ａ（３４Ｂ）と、側溝４０の外周面４１Ａ（４１Ｂ）との間に配置されている。また、側溝４０の長手方向における一部がコンクリート部材５０Ａ及び５０Ｂの間に配置されることで、側溝４０が固定されている。
【００２３】
コンクリート部材５０Ａ（５０Ｂ）の両端にはアンカーボルト６０Ａ及び６０Ｃ（６０Ｂ及び６０Ｄ）が埋設されている。また、側溝４０の長手方向の両端には、既設の側溝８０Ａ及び８０Ｂが接続されている。
【００２４】
図３は、側溝付き電柱１を真上側から見下ろした様子を示す図である。図３において、蓋部材１２は、側溝４０の長手方向における一部をまたぐように設置されており、蓋部材１２の四隅端部を貫通しているアンカーボルト６０Ａ、６０Ｂ、６０Ｃ及び６０Ｄと、ナット７０Ａ、７０Ｂ、７０Ｃ及び７０Ｄにより固定されている。
【００２５】
電柱状部１１は、蓋部材１２の略中央に堅固に形成されている。また、側溝４０と既設の側溝８０Ａ及び８０Ｂとの関係は、図２において上述したとおりである。
【００２６】
図４〜図７を参照して、側溝付き電柱１の組立工程について説明する。
【００２７】
図４は、電柱支持基礎部材３０が地中に埋設されている様子を示す図である。図４によると、まず、電柱支持基礎部材３０が地中に埋設される。電柱支持基礎部材３０の上半部３２は縦断面が上方に開放されている凹部を有しており、この凹部の内側は、側溝４０の長手方向における一部を隙間をおいて収納可能な空間を形成している。
【００２８】
図５は、埋設された電柱支持基礎部材３０に側溝４０が収納された様子を示す図である。図５によると、埋設された電柱支持基礎部材３０には、側溝４０が収納される。側溝４０の左側の外周面４１Ａ及び右側の外周面４１Ｂと、電柱支持基礎部材３０の内周面３３との間には隙間があり、側溝４０の下側の外周面４１Ｃは、電柱支持基礎部材３０の内周面３３と密接している。
【００２９】
図６は、電柱支持基礎部材３０と側溝４０との隙間におけるコンクリート部材５０Ａ（５０Ｂ）及びアンカーボルト６０Ａ（６０Ｂ）の配置関係を示す図である。図６によると、側溝４０の左側の外周面４１Ａ及び右側の外周面４１Ｂと、電柱支持基礎部材３０の内周面３３との間に形成された隙間にコンクリート部材５０Ａ及び５０Ｂが配置され、アンカーボルト６０Ａ（６０Ｂ）は、一端がコンクリート部材５０Ａ（５０Ｂ）に埋設されることで堅固に固定され、他端が電柱支持基礎部材３０の上方に露出するように配置される。
【００３０】
図７は、電柱状部１１の下端に堅固に形成されている蓋部材１２を設置した様子を示す図である。図７によると、蓋部材１２は、側溝４０をまたぐように電柱支持基礎部材３０の上半部３２の両上端３４Ａ及び３４Ｂに設置される。
【００３１】
また、アンカーボルト６０Ａ（６０Ｂ）によって貫通され、ナット７０Ａ（７０Ｂ）によって固定されることによって、図１に示す側溝付き電柱１の組み立てが完了する。
【００３２】
以上、本発明の実施の形態による側溝付き電柱について説明したが、上述の例に限らず、種々の変形例を採用することができる。例えば、側溝４０の形状は、上述した形状に限られず、市販の側溝など、様々な形状の側溝を電柱支持基礎部材３０の内部に配置することができ、道路管理者毎に異なっている側溝の仕様にも対応することが可能となる。
【図面の簡単な説明】
【００３３】
【図１】本発明の側溝付き電柱の縦断面図を示す図である。
【図２】本発明の蓋部材を取り付ける前における電柱支持部材の横断面図を示す図である。
【図３】本発明の側溝付き電柱を真上側から見下ろした様子を示す図である。
【図４】本発明の電柱支持基礎部材が地中に埋設されている様子を示す図である。
【図５】本発明の埋設された電柱支持基礎部材に側溝が収納された様子を示す図である。
【図６】本発明の電柱支持基礎部材と側溝との隙間におけるコンクリート部材及びアンカーボルトの配置関係を示す図である。
【図７】本発明の電柱状部の下端に堅固に形成されている蓋部材を設置した様子を示す図である。
【符号の説明】
【００３４】
１  側溝付き電柱
１１  電柱状部
１２  蓋部材
３０  電柱支持基礎部材
４０  側溝
５０Ａ、５０Ｂ  コンクリート部材
６０Ａ〜６０Ｄ  アンカーボルト
７０Ａ〜７０Ｄ  ナット
Ｇ  地面
【図１】
2009002097.tif 000003
【図２】
2009002097.tif 000004
【図３】
2009002097.tif 000005
【図４】
2009002097.tif 000006
【図５】
2009002097.tif 000007
【図６】
2009002097.tif 000008
【図７】
2009002097.tif 000009